(57)【特許請求の範囲】
【請求項１】
左右方向の一方側から他方側に連接され、四角筒状に組み立てられる第１側面パネル、第１端面パネル、第２側面パネル及び第２端面パネルと、
上記第１側面パネル及び上記第２側面パネルの上縁から延出する一対の第１折り返しフラップと、
上記第２端面パネルの上縁から延出する第２折り返しフラップと
を備え、トレイ状の箱体に組み立て可能な箱用シートであって、
上記第１端面パネルが、上下方向に延びる左右一対の柱部と、上記一対の柱部の下部同士を接続する基部とを有するＵ字状の本体と、上記基部の上縁から延出し、上記基部の内面側に折り返される折り返し片とを有し、
上記一対の第１折り返しフラップが、上記第１側面パネル及び上記第２側面パネルの上縁から延出し、上記第１側面パネル及び上記第２側面パネルの内側に上記第１側面パネル及び上記第２側面パネルに対して垂直に折り曲げられる天面部と、上記天面部の先端縁から延出し、上記第１側面パネル及び上記第２側面パネルの内面側に上記第１側面パネル及び上記第２側面パネルと平行に折り返される折り返し部と、上記折り返し部の上記第１端面パネル側の側縁から延出し、上記第１側面パネル及び上記第２側面パネルと上記折り返し部との間に折り込まれるサブフラップとを有し、
上記一対の第１折り返しフラップに形成されるサブフラップの先端縁同士が第１破断容易線によって破断可能に仮接続されている箱用シート。
【請求項２】
上記一対の柱部の上縁から延出し、第２破断容易線によって一対の上記サブフラップに破断可能に仮接続されている一対の舌片をさらに備える請求項１に記載の箱用シート。
【請求項３】
上記折り返し片、上記一対の柱部、上記一対の舌片、及び上記一対のサブフラップに囲まれる切り離し可能領域を備える請求項２に記載の箱用シート。
【請求項４】
上記サブフラップが、上記柱部の内面に折り重ねられる第１部分と、上記第１側面パネル又は上記第２側面パネルの内面に折り重ねられる第２部分とを有する請求項１、請求項２又は請求項３に記載の箱用シート。
【請求項５】
上記サブフラップが、組立時に上記舌片と上記折り返し部との間に挟圧可能に構成される請求項２又は請求項３に記載の箱用シート。
【発明の詳細な説明】
【技術分野】
【０００１】
本発明は、箱用シートに関する。
【背景技術】
【０００２】
段ボールシートから構成される箱用シートを組み立ててなる箱体が物品陳列用の容器として用いられている。この箱体としては、物品を視認でき、かつ容易に取り出すことができるように、上面が開口しており、かつ前面パネルに上記開口に連続する切り欠きが設けられたものが提案されている（特開２００１−３０１７４８号公報参照）。
【先行技術文献】
【特許文献】
【０００３】
【特許文献１】特開２００１−３０１７４８号公報
【発明の概要】
【発明が解決しようとする課題】
【０００４】
上記公報に記載の段ボール箱は、前面パネルと、背面パネルと、一対の側面パネルと、一対の側面パネルの上縁から延出し、水平に折り曲げられている一対の接続パネルと、一対の接続パネルの先端縁から延出し、一対の側面パネルの内面側に折り返されている一対の内側パネルとを備え、上記前面パネルの上部が切り欠かれ、かつ上面が開口している。この段ボール箱は、一対の接続パネル上に他の段ボール箱を段積み可能に構成されている。
【０００５】
この段ボール箱は、前面パネルと、この前面パネルの側縁に連接される一対の側面パネルと、一対の側面パネルの上縁から延出する一対の接続パネルと、一対の接続パネルの先端縁から延出する一対の内側パネルとを有する段ボールシートを用いて組み立てられる。
【０００６】
この段ボールシートは、前面パネルの上部が切り欠かれており、かつ前面パネルの上方に上部開口を形成するための空間が設けられている。そのため、この段ボールシートは、組立時における前面パネルの強度が不十分となることで段ボール箱を組み立て難い場合がある。
【０００７】
本発明は、このような事情に鑑みてなされたものであり、上面が開口しており、かつ端面パネルに上記開口に連続する切り欠きが形成された箱体に容易に組み立て可能な箱用シートを提供することを目的とする。
【課題を解決するための手段】
【０００８】
本発明の一態様に係る箱用シートは、左右方向の一方側から他方側に連接され、四角筒状に組み立てられる第１側面パネル、第１端面パネル、第２側面パネル及び第２端面パネルと、上記第１側面パネル及び上記第２側面パネルの上縁から延出する一対の第１折り返しフラップと、上記第２端面パネルの上縁から延出する第２折り返しフラップとを備え、トレイ状の箱体に組み立て可能な箱用シートであって、上記第１端面パネルが、上下方向に延びる左右一対の柱部と、上記一対の柱部の下部同士を接続する基部とを有するＵ字状の本体と、上記基部の上縁から延出し、上記基部の内面側に折り返される折り返し片とを有し、上記一対の第１折り返しフラップが、上記第１側面パネル及び上記第２側面パネルの上縁から延出し、上記第１側面パネル及び上記第２側面パネルの内側に垂直に折り曲げられる天面部と、上記天面部の先端縁から延出し、上記第１側面パネル及び上記第２側面パネルの内面側に上記第１側面パネル及び上記第２側面パネルと平行に折り返される折り返し部と、上記折り返し部の上記第１端面パネル側の側縁から延出し、上記第１側面パネル及び上記第２側面パネルと上記折り返し部との間に折り込まれるサブフラップとを有し、上記一対の第１折り返しフラップに形成されるサブフラップの先端縁同士が第１破断容易線によって破断可能に仮接続されている。
【発明の効果】
【０００９】
本発明の一態様に係る箱用シートは、上面が開口しており、かつ端面パネルに上記開口に連続する切り欠きが形成された箱体に容易に組み立て可能である。
【図面の簡単な説明】
【００１０】
【図１】図１は、本発明の一実施形態に係る箱用シートを示す模式的平面図である。
【図２】図２は、図１の箱用シートを組み立ててなる箱体を示す模式的斜視図である。
【図３】図３は、図２の箱体の模式的平面図である。
【図４】図４は、図２の箱体のＩＶ−ＩＶ線断面図である。
【図５】図５は、図１の箱用シートから図２の箱体を組み立てる手順を示す模式的斜視図である。
【図６】図６は、図１の箱用シートから図２の箱体を組み立てる図５の次の手順を示す模式的斜視図である。
【図７】図７は、図１の箱用シートとは異なる実施形態に係る箱用シートを示す模式的平面図である。
【図８】図８は、図７の箱用シートを組み立ててなる箱体を示す模式的平面図である。
【図９】図９は、図８の箱体のＩＸ−ＩＸ線断面図である。
【発明を実施するための形態】
【００１１】
［本発明の実施形態の説明］
最初に本発明の実施態様を列記して説明する。
【００１２】
本発明の一態様に係る箱用シートは、左右方向の一方側から他方側に連接され、四角筒状に組み立てられる第１側面パネル、第１端面パネル、第２側面パネル及び第２端面パネルと、上記第１側面パネル及び上記第２側面パネルの上縁から延出する一対の第１折り返しフラップと、上記第２端面パネルの上縁から延出する第２折り返しフラップとを備え、トレイ状の箱体に組み立て可能な箱用シートであって、上記第１端面パネルが、上下方向に延びる左右一対の柱部と、上記一対の柱部の下部同士を接続する基部とを有するＵ字状の本体と、上記基部の上縁から延出し、上記基部の内面側に折り返される折り返し片とを有し、上記一対の第１折り返しフラップが、上記第１側面パネル及び上記第２側面パネルの上縁から延出し、上記第１側面パネル及び上記第２側面パネルの内側に垂直に折り曲げられる天面部と、上記天面部の先端縁から延出し、上記第１側面パネル及び上記第２側面パネルの内面側に上記第１側面パネル及び上記第２側面パネルと平行に折り返される折り返し部と、上記折り返し部の上記第１端面パネル側の側縁から延出し、上記第１側面パネル及び上記第２側面パネルと上記折り返し部との間に折り込まれるサブフラップとを有し、上記一対の第１折り返しフラップに形成されるサブフラップの先端縁同士が第１破断容易線によって破断可能に仮接続されている。
【００１３】
当該箱用シートは、上記第１端面パネルの本体がＵ字状であり、上記一対の第１折り返しフラップが、上記第１側面パネル及び上記第２側面パネルの内側に垂直に折り曲げられる天面部と、上記第１側面パネル及び上記第２側面パネルの内面側に上記第１側面パネル及び上記第２側面パネルと平行に折り返される折り返し部とを有しているので、上記第１端面パネルの上部が切り欠かれ、かつ上面が開口しており、上記天面部の上に他の箱体を段積み可能なトレイ状の箱体に組み立て可能である。当該箱用シートは、上記一対の第１折り返しフラップが、上記折り返し部の上記第１端面パネル側の側縁から延出するサブフラップを有しており、上記一対の第１折り返しフラップに形成されるサブフラップの先端縁同士が第１破断容易線によって破断可能に仮接続されているので、製函機を用いて箱体に容易に組み立てることができる。具体的には、当該箱用シートは、一対の上記サブフラップの先端縁同士が仮接続された状態で、製函機を用いて容易に四角筒状に組み立てることができる。さらに、当該箱用シートは、上記サブフラップが上記第１側面パネル及び上記第２側面パネルと上記折り返し部との間に折り込まれるので、このサブフラップによって箱体の耐圧強度を高めることができる。すなわち、当該箱用シートは、上記折り返し部の上記第１端面パネル側の側縁から延出するサブフラップを有しており、上記一対の第１折り返しフラップに形成されるサブフラップの先端縁同士が第１破断容易線によって破断可能に仮接続されていることで、箱体の組み立ての容易化と箱体の耐圧強度とを共に高めることができる。
【００１４】
当該箱用シートは、上記一対の柱部の上縁から延出し、第２破断容易線によって一対の上記サブフラップに破断可能に仮接続されている一対の舌片をさらに備えるとよい。このように、当該箱用シートは、上記一対の柱部の上縁から延出し、第２破断容易線によって一対の上記サブフラップに破断可能に仮接続されている一対の舌片をさらに備えることによって、上記第１端面パネルと上記一対のサブフラップとが上記一対の舌片を介して仮接続される。これにより、上記箱体をより容易かつ確実に組み立てることができる。
【００１５】
当該箱用シートは、上記折り返し片、上記一対の柱部、上記一対の舌片、及び上記一対のサブフラップに囲まれる切り離し可能領域を備えるとよい。このように、当該箱用シートは、上記折り返し片、上記一対の柱部、上記一対の舌片、及び上記一対のサブフラップに囲まれる切り離し可能領域を備えることによって、上記箱体をより容易かつ確実に組み立てることができる。
【００１６】
上記サブフラップが、上記柱部の内面に折り重ねられる第１部分と、上記第１側面パネル又は上記第２側面パネルの内面に折り重ねられる第２部分とを有するとよい。このように、上記サブフラップが、上記柱部の内面に折り重ねられる第１部分と、上記第１側面パネル又は上記第２側面パネルの内面に折り重ねられる第２部分とを有することによって、箱体に組み立てられた状態での上記サブフラップの姿勢が安定する。その結果、上記箱体の形状がより安定する。
【００１７】
上記サブフラップは、組立時に上記舌片と上記折り返し部との間に挟圧可能に構成されていてもよい。このように、上記サブフラップが、組立時に上記舌片と上記折り返し部との間に挟圧可能に構成されていることによって、箱体における上記折り返し部の姿勢をより安定的に保つことができる。その結果、上記箱体の耐圧強度を高めやすい。
【００１８】
なお、本発明において、「左右方向」とは、箱用シートを組み立ててなる箱体において想定される一般的な使用態様における水平方向をいう。また、「上」とは、上記左右方向を基準とする上を意味し、「下」とは、上記左右方向を基準とする下を意味する。「Ｕ字状」とは、角Ｕ字状や、角Ｕ字状に近似した形状を含む。
【００１９】
以下、適宜図面を参照しつつ、本発明の実施の形態を詳説する。
【００２０】
［第一実施形態］
図１の箱用シート１０は、１枚のシートから構成される。当該箱用シート１０は、左右方向の一方側から他方側に連接され、四角筒状に組み立てられる第１側面パネル１、第１端面パネル２、第２側面パネル３及び第２端面パネル４と、第１側面パネル１及び第２側面パネル３の上縁から延出する一対の第１折り返しフラップ５と、第２端面パネル４の上縁から延出する第２折り返しフラップ６とを備える。また、当該箱用シート１０は、第１側面パネル１の左右方向外側の側縁から延出する糊代７と、第１側面パネル１の下縁から延出する第１底外フラップ８ａと、第１端面パネル２の下縁から延出する第１底内フラップ９ａと、第２側面パネル３の下縁から延出する第２底外フラップ８ｂと、第２端面パネル４の下縁から延出する第２底内フラップ９ｂとを備える。さらに、当該箱用シート１０は、第１端面パネル２の上縁から延出し、一対の第１折り返しフラップ５に仮接続される一対の舌片１１と、第１端面パネル２、一対の第１折り返しフラップ５及び一対の舌片１１に囲まれる切り離し可能領域１２とを備える。なお、図１において、太い実線はシートを切断して形成される切断線を示し、細い実線はシートの片面を筋押しして形成される罫線を示す。
【００２１】
当該箱用シート１０は、トレイ状の箱体に組み立て可能であり、具体的には第１端面パネル２の上部が切り欠かれ、かつ上面が開口している図２及び図３の箱体３０に組み立てられる。箱体３０は、例えば物品を収容し、かつシュリンクフィルムに覆われた状態で運搬され、シュリンクフィルムを剥がした状態で物品陳列用の容器として用いられる。
【００２２】
当該箱用シート１０に用いられるシート材としては、当該箱用シート１０を組み立ててなる箱体３０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート１０を形成する段ボールシートとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２３】
（第１側面パネル及び第２側面パネル）
第１側面パネル１及び第２側面パネル３は、それぞれ略矩形状である。第１側面パネル１及び第２側面パネル３の上下方向長さは等しい。また、第１側面パネル１及び第２側面パネル３の左右方向長さは等しい。第１側面パネル１及び第２側面パネル３は、上下方向長さに対して左右方向長さが大きい。また、第１側面パネル１及び第２側面パネル３の左右方向長さは、第１端面パネル２及び第２端面パネル４の左右方向長さよりも大きい。第１側面パネル１及び第２側面パネル３の左右方向長さとしては、箱体３０に収容する物品の大きさ等に基づいて適宜設定可能であるが、例えば３０ｃｍ以上６０ｃｍ以下とすることができる。第１側面パネル１及び第２側面パネル３の上下方向長さとしては、箱体３０に収容する物品の大きさ等に基づいて適宜設定可能であるが、例えば１０ｃｍ以上４０ｃｍ以下とすることができる。
【００２４】
第１側面パネル１及び第２側面パネル３（以下、第１側面パネル１及び第２側面パネル３をまとめて「側面パネル１、３」ともいう）は、上縁に凸部１ａ、３ａを有する。凸部１ａ、３ａは、複数の箱体３０を段積みする場合に、上側に重ねられる他の箱体３０の後述する第１係止孔１９ｄ、２０ｄと係合又は干渉可能に設けられる。
【００２５】
（第１端面パネル）
第１端面パネル２は、上下方向に延びる左右一対の柱部１３ａと、一対の柱部１３ａの下部同士を接続する基部１３ｂとを有するＵ字状の本体１３と、基部１３ｂの上縁から延出し、基部１３ｂの内面側に折り返される折り返し片１４とを有する。一対の柱部１３ａの左右方向外側の側縁には、側面パネル１、３が接続されている。第１端面パネル２の上下方向長さは、一対の柱部１３ａの上下方向長さによって画定される。また、第１端面パネル２の左右方向長さは、一対の柱部１３ａの左右方向外側の側縁同士の間隔によって画定される。第１端面パネル２の上下方向長さは、一対の側面パネル１、３の上下方向長さと略等しい。
【００２６】
折り返し片１４は、基部１３ｂの上縁から延出し、基部１３ｂの内側に垂直に折り曲げられる接続部１４ａと、接続部１４ａの先端縁から延出し、基部１３ｂの内面側に基部１３ｂと平行に折り返される本体部１４ｂとを有する。本体部１４ｂの先端縁には、後述の第２係止孔２１ｂに係合可能な凸部１４ｃが設けられている。
【００２７】
（第２端面パネル）
第２端面パネル４は略矩形状である。第２端面パネル４の左右方向長さは、第１端面パネル２の左右方向長さと等しい。第２端面パネル４の上下方向長さは、第１端面パネル２の上下方向長さと等しい。
【００２８】
（第１折り返しフラップ）
一対の第１折り返しフラップ５は、側面パネル１、３と共に、箱体３０の一対の側壁３１を構成する。
【００２９】
一対の第１折り返しフラップ５は、側面パネル１、３の上縁から延出し、側面パネル１、３の内側に垂直に折り曲げられる天面部（第１天面部５ａ）と、第１天面部５ａの先端縁から延出し、側面パネル１、３の内面側に側面パネル１、３と平行に折り返される折り返し部（第１折り返し部５ｂ）と、第１折り返し部５ｂの第１端面パネル２側の側縁から延出し、側面パネル１、３と第１折り返し部５ｂとの間に折り込まれるサブフラップ５ｃとを有する。一対の第１折り返しフラップ５に形成されるサブフラップ５ｃの先端縁同士は第１破断容易線１５によって破断可能に仮接続されている。換言すると、一対の第１折り返しフラップ５同士は、第１破断容易線１５で仮接続されることで、全体として１つのフラップを構成している。
【００３０】
〔天面部〕
第１天面部５ａは、延出方向長さＬに対して幅が大きい略長方形状である。第１天面部５ａは、基端縁で側面パネル１、３と接続され、かつ先端縁で第１折り返し部５ｂと接続されている。一方、第１天面部５ａの幅方向の両側縁は他のパネル等と接続されていない。すなわち、第１天面部５ａの幅方向の両側縁は切断エッジである。
【００３１】
第１天面部５ａは、側面パネル１、３の上縁の略全領域から延出している。つまり、第１天面部５ａの幅は、側面パネル１、３の左右方向長さと略等しい。
【００３２】
第１天面部５ａは、箱体３０において、他の箱体３０を段積みする際に、他の箱体３０を下方から支持するための支持部を構成する。第１天面部５ａの延出方向長さＬの下限としては、３ｃｍが好ましく、４ｃｍがより好ましい。上記延出方向長さＬが上記下限に満たないと、他の箱体３０を安定的に段積みできないおそれがある。また、当該箱用シート１０は、側面パネル１、３と第１折り返し部５ｂとの間にサブフラップ５ｃが折り込まれることで箱体３０の耐圧性を高めることができる。この点において、上記延出方向長さＬが上記下限に満たないと、側面パネル１、３と第１折り返し部５ｂとの間にサブフラップ５ｃを所望の姿勢で配置できないおそれがある。一方、上記延出方向長さＬの上限としては、８ｃｍが好ましく、６ｃｍがより好ましい。上記延出方向長さＬが上記上限を超えると、箱体３０における物品の収容スペースを十分に確保することができなくなるおそれや、側面パネル１、３と第１折り返し部５ｂとの間でサブフラップ５ｃが動きやすくなり、サブフラップ５ｃを安定的に配置し難くなるおそれがある。
【００３３】
〔折り返し部〕
第１折り返し部５ｂは略矩形状である。第１折り返し部５ｂは、側面パネル１、３の内面側に配置され、側面パネル１、３と合わせて２重壁を構成する。第１折り返し部５ｂの幅は、第１天面部５ａの幅と略等しい。第１折り返し部５ｂの延出方向長さは側面パネル１、３の上下方向長さと略等しい。
【００３４】
第１折り返し部５ｂには、折り曲げ容易線とスリットとによって画定される折り込み片１６が設けられている。折り込み片１６は、箱体３０を解体しやすいように第１折り返し部５ｂに手掛け穴を形成できるように設けられる。
【００３５】
〔サブフラップ〕
サブフラップ５ｃは、箱体３０に組み立てられた状態で側壁３１の耐圧強度を高める補強パネルとして機能する。また、サブフラップ５ｃは、後述するように、当該箱用シート１０から箱体３０を容易かつ確実に組み立てるための補助パネルとして機能する。
【００３６】
サブフラップ５ｃは略矩形状である。サブフラップ５ｃは、第１折り返し部５ｂの側縁の略全領域から延出している。サブフラップ５ｃの幅Ｗは、側面パネル１、３の上下方向長さと略等しい。具体的には、側面パネル１、３の上下方向長さとサブフラップ５ｃの幅Ｗとの差の上限としては、シート厚さの３倍とすることができ、シート厚さの２倍がより好ましい。
【００３７】
サブフラップ５ｃは、第１折り返し部５ｂの側縁から延出する第１部分１７ａと、第１部分１７ａの先端縁から延出する第２部分１７ｂとを有する。第１部分１７ａ及び第２部分１７ｂはそれぞれ略矩形状である。第１部分１７ａと第２部分１７ｂとの境界には折り曲げ容易線が設けられている。図４に示すように、箱体３０に組み立てられた状態で、第１部分１７ａは、柱部１３ａの内面に折り重ねられる。また、箱体３０に組み立てられた状態で、第２部分１７ｂは、側面パネル１、３の内面に折り重ねられる。当該箱用シート１０は、サブフラップ５ｃが、柱部１３ａの内面に折り重ねられる第１部分１７ａと、側面パネル１、３の内面に折り重ねられる第２部分１７ｂとを有することによって、箱体３０に組み立てられた状態でのサブフラップ５ｃの姿勢が安定する。その結果、箱体３０の形状がより安定する。
【００３８】
（第２折り返しフラップ）
第２折り返しフラップ６は略矩形状である。第２折り返しフラップ６は、第２端面パネル４の上縁から延出し、第２端面パネル４の内側に垂直に折り曲げられる第２天面部６ａと、第２天面部６ａの先端縁から延出し、第２端面パネル４の内面側に第２端面パネル４と平行に折り返される第２折り返し部６ｂと、第２折り返し部６ｂの先端縁から延出し、第２折り返し部６ｂと第２端面パネル４との間に折り返される第３折り返し部６ｃとを有する。
【００３９】
（舌片）
一対の舌片１１は、一対の柱部１３ａの上縁から延出し、第２破断容易線１８によって一対のサブフラップ５ｃに仮接続されている。すなわち、舌片１１は、基端縁で柱部１３ａと接続され、かつ先端縁でサブフラップ５ｃと仮接続されている。これにより、第１端面パネル２と一対のサブフラップ５ｃとが一対の舌片１１を介して仮接続される。その結果、一対のサブフラップ５ｃが第１端面パネル２と独立して揺動することを抑制することができ、箱体３０をより容易かつ確実に組み立てることができる。
【００４０】
（切り離し可能領域）
切り離し可能領域１２は、折り返し片１４、一対の柱部１３ａ、一対の舌片１１、及び一対のサブフラップ５ｃに囲まれている。すなわち、切り離し可能領域１２は、当該箱用シート１０における折り返し片１４、一対の柱部１３ａ、一対の舌片１１、及び一対のサブフラップ５ｃに囲まれる空間を埋めている。この構成によると、一対のサブフラップ５ｃが第１端面パネル２に対して独立して揺動することをより確実に抑制することができ、箱体３０をより容易かつ確実に組み立てることができる。また、組立時に第１端面パネル２の強度が不十分となることを防止できる。
【００４１】
切り離し可能領域１２は、破断容易線によって折り返し片１４及び一対のサブフラップ５ｃと仮接続されている。これにより、当該箱用シート１０は、第１端面パネル２が左右方向の全領域に亘って一対のサブフラップ５ｃと間接的に仮接続される。その結果、当該箱用シート１０は、箱体３０をさらに容易かつ確実に組み立てることができる。
【００４２】
（第１底外フラップ及び第２底外フラップ）
第１底外フラップ８ａは略矩形状である。第１底外フラップ８ａの先端縁には凹部１９ａが形成されている。第２底外フラップ８ｂは、第２側面パネル３の下縁から延出する略矩形状の本体２０ａと、本体２０ａの先端縁から延出する突片２０ｂとを有する。
【００４３】
第１底外フラップ８ａ及び第２底外フラップ８ｂ（より詳しくは、第１底外フラップ８ａと第２底外フラップ８ｂの本体２０ａ）の幅方向の両側には、基端側から先端側に向けて幅方向の内側に傾斜して延びる折り曲げ容易線１９ｃ、２０ｃが形成されている。折り曲げ容易線１９ｃ、２０ｃは直線状である。
【００４４】
第１底外フラップ８ａ及び第２底外フラップ８ｂの基端部には、側面パネル１、３の下縁に沿って第１係止孔１９ｄ、２０ｄが形成されている。第１係止孔１９ｄ、２０ｄは、箱体３０に組み立てられた状態で、他の箱体３０に段積みされる際に、他の箱体３０の凸部１ａ、３ａと係合又は干渉可能に構成されている。
【００４５】
（第１底内フラップ及び第２底内フラップ）
第１底内フラップ９ａ及び第２底内フラップ９ｂは、箱体３０に組み立てられた状態で、第１底外フラップ８ａ及び第２底外フラップ８ｂの内側に配置される。第１底内フラップ９ａ及び第２底内フラップ９ｂは略矩形状である。第１底内フラップ９ａ及び第２底内フラップ９ｂの延出方向の合計長さは、側面パネル１、３の左右方向長さと略等しい。これにより、箱体３０に組み立てられた状態で、第１底内フラップ９ａと第２底内フラップ９ｂとは、先端縁同士が突き合わされた状態で保持される。その結果、箱体３０の底部の内面がフラットに保たれる。
【００４６】
第１底内フラップ９ａは、先端側の幅方向両側の角部に一対の折り曲げ片２１ａを有する。折り曲げ片２１ａは第１底内フラップ９ａの基端縁と平行な折り曲げ容易線と、この折り曲げ容易線の端部と第１底内フラップ９ａの先端縁とを結ぶスリットとによって画定されている。折り曲げ片２１ａの幅は、第１天面部５ａの延出方向長さＬと略等しい。図４に示すように、折り曲げ片２１ａは、箱体３０に組み立てられた状態で上方に立ち上げられる。これにより、折り曲げ片２１ａは、第１折り返し部５ｂの下部が側面パネル１、３側に傾くことを防止するストッパーとして機能する。
【００４７】
第１底内フラップ９ａの基端部には、第１端面パネル２の下縁に沿って第２係止孔２１ｂが形成されている。第２係止孔２１ｂは、箱体３０に組み立てられた状態で、折り返し片１４に設けられた上述の凸部１４ｃが挿入される。
【００４８】
（組立手順）
次に、図５及び図６を参照して、当該箱用シート１０を箱体３０に組み立てる手順の一例について説明する。
【００４９】
まず、第１破断容易線１５、第２破断容易線１８が破断されておらず、かつ切り離し可能領域１２が切り離されていない状態で、第１側面パネル１を第１端面パネル２の内面に折り重ね、第２端面パネル４を第２側面パネル３の内面に折り重ね、糊代７を第２端面パネル４の内面に貼着する。
【００５０】
続いて、図５に示すように、無端状に接続された第１側面パネル１、第１端面パネル２、第２側面パネル３及び第２端面パネル４を四角筒状に広げる。この際、一対のサブフラップ５ｃの先端縁同士が第１破断容易線１５によって仮接続されているので、第１側面パネル１、第１端面パネル２、第２側面パネル３及び第２端面パネル４を製函機を用いて容易に四角筒状に広げることができる。すなわち、一対のサブフラップ５ｃ同士が切り離されていたり、一対のサブフラップ５ｃが形成されていなかったりすると、箱用シートのエッジが製函機に引っかかり、製函機のトラブルや、箱体の不良が発生しやすい。これに対し、一対のサブフラップ５ｃの先端縁同士が仮接続されていることで、箱用シート１０の製函機への引っかかりを抑制し、第１側面パネル１、第１端面パネル２、第２側面パネル３及び第２端面パネル４を容易に四角筒状に広げることができる。また、当該箱用シート１０は、舌片１１及び切り離し可能領域１２を介して第１端面パネル２と一対のサブフラップ５ｃとが仮接続されているので、一対のサブフラップ５ｃが第１端面パネル２と独立に揺動し難い。これにより、当該箱用シート１０は、製函機のトラブルや、箱体３０の不良をより確実に低減することができる。
【００５１】
次に、図６に示すように、第１底内フラップ９ａ及び第２底内フラップ９ｂを内側に折り曲げ、さらに第１底外フラップ８ａ及び第２底外フラップ８ｂを内側に折り曲げることで箱体３０の底部を組み立てる。また、第１破断容易線１５及び第２破断容易線１８を破断すると共に、切り離し可能領域１２を切り離す。
【００５２】
箱体３０の底部の組立手順についてより具体的に説明する。まず、第１底内フラップ９ａ及び第２底内フラップ９ｂを内側に略垂直に折り曲げる。続いて、第１底外フラップ８ａを内側に略垂直に折り曲げ、さらに第２底外フラップ８ｂを第１底外フラップ８ａの外面側に折り重ねる。そして、第２底外フラップ８ｂを第１底外フラップ８ａの外面に押し当てた状態で押し込んでいく。この際、第１底外フラップ８ａに設けられた一対の折り曲げ容易線１９ｃ及び第２底外フラップ８ｂに設けられた一対の折り曲げ容易線２０ｃが適度に折れ曲がることで第２底外フラップ８ｂを容易に押し込むことができる。第２底外フラップ８ｂの突片２０ｂの先端縁が第１底外フラップ８ａの凹部１９ａを通過するまで押し込んだ後、第２底外フラップ８ｂの押し込みを解除する。これによってシート材の反力により第１底外フラップ８ａ及び第２底外フラップ８ｂが押し戻され、この過程で突片２０ｂが凹部１９ａの内側に入り込む。その結果、第１底外フラップ８ａと第２底外フラップ８ｂとが互いに接続される。第１底外フラップ８ａと第２底外フラップ８ｂとが接続された後、第１底内フラップ９ａに設けられた一対の折り曲げ片２１ａを上方に略垂直に立ち上げる。これにより、箱体３０の底部が組み立てられる。
【００５３】
箱体３０の底部が組み立てられると共に、第１破断容易線１５及び第２破断容易線１８が破断され、かつ切り離し可能領域１２が切り離された後には、第２折り返しフラップ６を第２端面パネル４の内面側に折り返す。さらに、折り返し片１４を第１端面パネル２の内面側に折り返して折り返し片１４に設けられた凸部１４ｃを第１底内フラップ９ａの基端部に設けられた第２係止孔２１ｂに挿入する。
【００５４】
続いて、一対の舌片１１を一対の柱部１３ａの内側に垂直に折り曲げた後、一対の第１天面部５ａを側面パネル１、３の内側に垂直に折り曲げ、さらに一対の第１折り返し部５ｂを側面パネル１、３の内面側に側面パネル１、３と平行に折り返す。この際、サブフラップ５ｃの第１部分１７ａを柱部１３ａの内面に折り重ね、第２部分１７ｂを側面パネル１、３の内面に折り重ねる。これにより、一対の第１折り返し部５ｂの内面が折り返し片１４によって支持され、かつ一対の第１折り返し部５ｂの外面が一対の折り曲げ片２１ａによって支持されることで、一対の第１折り返し部５ｂが側面パネル１、３と平行に維持される。
【００５５】
＜利点＞
当該箱用シート１０は、第１端面パネル２の本体１３がＵ字状であり、一対の第１折り返しフラップ５が、側面パネル１、３の内側に垂直に折り曲げられる第１天面部５ａと、側面パネル１、３の内面側に側面パネル１、３と平行に折り返される第１折り返し部５ｂとを有しているので、第１端面パネル２の上部が切り欠かれ、かつ上面が開口しており、一対の第１天面部５ａの上に他の箱体３０を段積み可能なトレイ状の箱体３０に組み立て可能である。当該箱用シート１０は、一対の第１折り返しフラップ５が、第１折り返し部５ｂの第１端面パネル２側の側縁から延出するサブフラップ５ｃを有しており、一対のサブフラップ５ｃの先端縁同士が第１破断容易線１５によって破断可能に仮接続されているので、製函機を用いて箱体３０に容易に組み立てることができる。さらに、当該箱用シート１０は、箱体３０の組立時にサブフラップ５ｃが側面パネル１、３と第１折り返し部５ｂとの間に折り込まれるので、このサブフラップ５ｃによって箱体３０の耐圧強度を高めることができる。すなわち、当該箱用シート１０は、第１折り返し部５ｂの第１端面パネル２側の側縁から延出するサブフラップ５ｃを有しており、一対のサブフラップ５ｃの先端縁同士が第１破断容易線１５によって破断可能に仮接続されていることで、箱体３０の組み立ての容易化と箱体３０の耐圧強度とを共に高めることができる。
【００５６】
［第二実施形態］
図７の箱用シート４０は、左右方向の一方側から他方側に連接され、四角筒状に組み立てられる第１側面パネル１、第１端面パネル２、第２側面パネル３及び第２端面パネル４と、第１側面パネル１及び第２側面パネル３の上縁から延出する一対の第１折り返しフラップ４５と、第２端面パネル４の上縁から延出する第２折り返しフラップ６とを備える。また、当該箱用シート４０は、第１側面パネル１の左右方向外側の側縁から延出する糊代７と、第１側面パネル１の下縁から延出する第１底外フラップ８ａと、第１端面パネル２の下縁から延出する第１底内フラップ９ａと、第２側面パネル３の下縁から延出する第２底外フラップ８ｂと、第２端面パネル４の下縁から延出する第２底内フラップ９ｂとを備える。さらに、当該箱用シート４０は、第１端面パネル２の上縁から延出し、一対の第１折り返しフラップ４５に仮接続される一対の舌片１１と、第１端面パネル２、一対の第１折り返しフラップ４５及び一対の舌片１１に囲まれる切り離し可能領域１２とを備える。
【００５７】
第１端面パネル２は、上下方向に延びる左右一対の柱部１３ａと、一対の柱部１３ａの下部同士を接続する基部１３ｂとを有するＵ字状の本体１３と、基部１３ｂの上縁から延出し、基部１３ｂの内面側に折り返される折り返し片１４とを有する。
【００５８】
一対の第１折り返しフラップ４５は、側面パネル１、３の上縁から延出し、側面パネル１、３の内側に垂直に折り曲げられる第１天面部５ａと、第１天面部５ａの先端縁から延出し、側面パネル１、３の内面側に側面パネル１、３と平行に折り返される第１折り返し部５ｂと、第１折り返し部５ｂの第１端面パネル２側の側縁から延出し、側面パネル１、３と第１折り返し部５ｂとの間に折り込まれるサブフラップ４５ｃとを有する。当該箱用シート４０は、サブフラップ４５ｃが第１部分と第２部分とを有していない以外、図１の箱用シート１０と同様の構成とすることができる。
【００５９】
当該箱用シート４０は、図８の箱体５０に組み立てられる。図８及び図９に示すように、箱体５０において、サブフラップ４５ｃは、舌片１１と第１折り返し部５ｂとの間に挟圧される。これにより、箱体５０において、一対の第１折り返し部５ｂは、サブフラップ４５ｃを介して舌片１１によって外側から押圧される一方、折り返し片１４によって内側から支持される。
【００６０】
＜利点＞
当該箱用シート４０は、サブフラップ４５ｃが舌片１１と第１折り返し部５ｂとの間に挟圧可能に構成されているので、箱体５０における第１折り返し部５ｂの姿勢をより安定的に保つことができる。その結果、箱体５０の耐圧強度を高めることができる。
【００６１】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００６２】
例えば上記一対の舌片は上記一対のサブフラップに仮接続されていることが好ましいが、これらの舌片は上記一対のサブフラップと分断しておくことも可能である。また、当該箱用シートは、上記一対の舌片を省略することも可能である。
【００６３】
当該箱用シートは、上述の切り離し可能領域を打ち抜いておくことも可能である。但し、箱体の組み立てをより確実に行うためには上記切り離し可能領域は箱体の組み立て途中で切り離せるように上記折り返し片及び上記一対のサブフラップ等と仮接続されていることが好ましい。
【００６４】
箱体の底部を形成するための具体的な構成は特に限定されるものではない。当該箱用シートは、いわゆるワンタッチタイプ、アメリカンロックタイプ等の底部を形成するものであってもよい。
【産業上の利用可能性】
【００６５】
以上のように、本発明の一態様に係る箱用シートは、上面が開口しており、かつ端面パネルに上記開口に連続する切り欠きが形成された箱体を形成するのに適している。
【符号の説明】
【００６６】
１  第１側面パネル
１ａ、３ａ  凸部
２  第１端面パネル
３  第２側面パネル
４  第２端面パネル
５、４５  第１折り返しフラップ
５ａ  第１天面部
５ｂ  第１折り返し部
５ｃ、４５ｃ  サブフラップ
６  第２折り返しフラップ
６ａ  第２天面部
６ｂ  第２折り返し部
６ｃ  第３折り返し部
７  糊代
８ａ  第１底外フラップ
８ｂ  第２底外フラップ
９ａ  第１底内フラップ
９ｂ  第２底内フラップ
１０、４０  箱用シート
１１  舌片
１２  切り離し可能領域
１３  本体
１３ａ  柱部
１３ｂ  基部
１４  折り返し片
１４ａ  接続部
１４ｂ  本体部
１４ｃ  凸部
１５  第１破断容易線
１６  折り込み片
１７ａ  第１部分
１７ｂ  第２部分
１８  第２破断容易線
１９ａ  凹部
１９ｃ、２０ｃ  折り曲げ容易線
１９ｄ、２０ｄ  第１係止孔
２０ａ  本体
２０ｂ  突片
２１ａ  折り曲げ片
２１ｂ  第２係止孔
３０、５０  箱体
３１  側壁
Ｌ  第１天面部の延出方向長さ
Ｗ  サブフラップの幅
【要約】
【課題】本発明は、上面が開口しており、かつ端面パネルに上記開口に連続する切り欠きが形成された箱体に容易に組み立て可能な箱用シートを提供することを目的とする。
【解決手段】本発明の一態様に係る箱用シートは、一対の側面パネルの上縁から延出する一対の第１折り返しフラップを有しており、一対の第１折り返しフラップが、側面パネルの内側に垂直に折り曲げられる天面部と、天面部の先端縁から延出し、側面パネルと平行に折り返される折り返し部と、折り返し部の第１端面パネル側の側縁から延出し、側面パネルと折り返し部との間に折り込まれるサブフラップとを有し、一対の第１折り返しフラップに形成されるサブフラップの先端縁同士が第１破断容易線によって破断可能に仮接続されている。
【選択図】図１【図１】
0006779404.tif 000002
【図２】
0006779404.tif 000003
【図３】
0006779404.tif 000004
【図４】
0006779404.tif 000005
【図５】
0006779404.tif 000006
【図６】
0006779404.tif 000007
【図７】
0006779404.tif 000008
【図８】
0006779404.tif 000009
【図９】
0006779404.tif 000010